(57)【要約】【課題】装置本体を組み立てる際の作業性の向上することができるレンズ駆動装置を提供すること。【解決手段】レンズを保持するレンズホルダ６と、レンズホルダ６が取り付けられるケース８と、レンズホルダ６をケース８に対して可動可能に連結する複数の板ばね６２、６４と、を具備するレンズ駆動装置１において、ケース８に対する第１の板ばね６２の固定部６２ｃを第２の板ばね６４の固定部６４ｃと異なる位置に配置すると共に、ケース８における第１の板ばね６２及び第２の板ばね６４の固定部分を段差を持って形成したことを特徴とする。【選択図】図１５
2008197311.tif 000002
【特許請求の範囲】
【請求項１】
レンズを保持するレンズホルダと、前記レンズホルダが取り付けられるケースと、前記レンズホルダを前記ケースに対して可動可能に連結する複数の板ばねと、を具備し、前記ケースに対する前記板ばねの固定部を他の前記板ばねの固定部と異なる位置に配置すると共に、前記ケースにおける前記板ばねの固定部分に段差を設け、前記板ばねの固定部と他の前記板ばねの固定部とを段差を設けて配置することを特徴とするレンズ駆動装置。
【請求項２】
前記ケースは、第１の部材及び第２の部材から成り、前記板ばねの固定部は、前記第１の部材と第２の部材との間に挟まれた状態で保持されることを特徴とする請求項１記載のレンズ駆動装置。
【発明の詳細な説明】
【技術分野】
【０００１】
本発明は、レンズ駆動装置に関し、特に、デジタルカメラにおけるオートフォーカス機能や手ぶれ補正機能に好適なレンズ駆動装置に関する。
【背景技術】
【０００２】
従来、デジタルカメラやカメラ付き携帯電話に搭載されるレンズ駆動装置において、ボイスコイルモータと２枚の板ばねを備え、ボイスコイルモータによる駆動力と２枚の板ばねの復元力とを利用してレンズの位置制御を行うものが提案されている（例えば、特許文献１参照）。一方、近年、デジタルカメラやカメラ付き携帯電話は小型化が進んでおり、これに伴って、カメラモジュールに用いられるレンズ駆動装置も小型化が要請されている。また、このようなレンズ駆動装置においては、組み立てる際の作業性の向上を確保することも同時に要請されている。
【特許文献１】特開２００６−２９３２４４号公報
【発明の開示】
【発明が解決しようとする課題】
【０００３】
しかしながら、上述した従来のレンズ駆動装置においては、２枚の板ばねが有する固定部が上下に重なる構成を有するため、装置本体の上下２方向から、或いは、装置本体の側方側から板ばねを組み込んでいかなればならず、装置本体を組み立てる際の作業性が悪いという問題がある。
【０００４】
本発明はかかる問題点に鑑みてなされたものであり、装置本体を組み立てる際の作業性の向上することができるレンズ駆動装置を提供することを目的とする。
【課題を解決するための手段】
【０００５】
本発明のレンズ駆動装置は、レンズを保持するレンズホルダと、前記レンズホルダが取り付けられるケースと、前記レンズホルダを前記ケースに対して可動可能に連結する複数の板ばねと、を具備し、前記ケースに対する前記板ばねの固定部を他の前記板ばねの固定部と異なる位置に配置すると共に、前記ケースにおける前記板ばねの固定部分に段差を設け、前記板ばねの固定部と他の前記板ばねの固定部とを段差を設けて配置することを特徴とする。
【０００６】
上記レンズ駆動装置によれば、ケースに対する板ばねの固定部を他の板ばねの固定部と異なる位置に配置すると共に、ケースにおける板ばねの固定部分に段差を設けたことから、複数の板ばねを一方向から組み込んでいくことができるので、装置本体を組み立てる際の作業性の向上することが可能となる。また、ケースにおける板ばねの固定部分に段差が設けられていることから、複数の板ばねを一定の間隔を空けて配置することが可能となる。
【０００７】
上記レンズ駆動装置において、前記ケースは、第１の部材及び第２の部材から成り、前記板ばねの固定部は、前記第１の部材と第２の部材との間に挟まれた状態で保持されることが好ましい。この場合には、板ばねの固定部が第１の部材と第２の部材との間に挟まれることから、複数の板ばねの間隔を確実に維持した状態で配置することが可能となる。
【発明の効果】
【０００８】
本発明によれば、レンズホルダが取り付けられるケースに対する板ばねの固定部を他の板ばねの固定部と異なる位置に配置すると共に、ケースにおける板ばねの固定部分に段差を設け、板ばねの固定部と他の板ばねの固定部とを段差を設けて配置することから、複数の板ばねを一方向から組み込んでいくことができるので、装置本体を組み立てる際の作業性の向上することが可能となる。
【発明を実施するための最良の形態】
【０００９】
以下、本発明の一実施の形態について添付図面を参照して詳細に説明する。
図１は、本発明の一実施の形態に係るレンズ駆動装置の分解斜視図である。図１に示すように、本実施の形態に係るレンズ駆動装置１は、撮像素子としてのイメージセンサ２が実装される基板３と、ＩＲカットフィルタ４が装着されるベース部材（以下、単に「ベース」という）５と、レンズホルダ６が取り付けられ、このレンズホルダ６を介してレンズケース７が取り付けられるケース８と、取り付けられたレンズホルダ６の上方からケース８に被せられるカバー９と、レンズホルダ６に固定されるコイル１０と、レンズホルダ６の上方に配設されるマグネット１１及びヨーク１２とを含んで構成される。
【００１０】
図１に示すように、基板３は、上方側から見て正方形状に設けられている。基板３における各辺の側面には、外部との接続を行う外部接続部材３ａが複数個設けられている。そのうち、特定の１辺の側面に設けられた外部接続部材３ａの近傍には、１対の接点部３ｂが設けられている。イメージセンサ２は、基板３の中央位置に撮像領域２ａが配置されるようにワイヤボンディングにより固定される。なお、図１においては、イメージセンサ２を基板３に固定するための端子部分のみ表示し、ワイヤ自体は省略している。
【００１１】
ベース５は、基板３に対応する正方形状を有する板状部材で構成されている。ベース５の中央近傍には、撮像領域２ａに対応する位置に長方形状を有する開口部５ａが形成され、この開口部５ａの周囲に開口部５ａよりも僅かに大きい長方形状を有する凹部５ｂが形成されている。ＩＲカットフィルタ４は、凹部５ｂに対応する長方形状を有し、凹部５ｂに装着される。ベース５の四隅には、上方に向けて突出する突出片５ｃが形成され、その近傍に同様に上方に向けて突出する突出片５ｄが形成されている。これらの突出片５ｃ及び５ｄは、後述するヨーク１２の脚部１２ｂと接触してヨーク１２の位置決めを行う。突出片５ｄの間には、後述するケース８の側面部８ｂの下面を収容する収容部５ｅが設けられている。ベース５における基板３に形成された接点部３ｂに対応する位置には、一対の貫通孔５ｆが形成されている。この貫通孔５ｆには、後述するレンズホルダ６の板ばねの接点部と、基板３の接点部３ｂとを電気的に接続する弾性接続部材としてのスプリング５ｇが配設される。スプリング５ｇは、金属等の導電性材料から形成され弾性を有している。なお、突出片５ｄが形成されていない辺の所定位置には、後述するケース８に形成された収容部８ｇに収容される一対の凸部５ｈが形成されている。
【００１２】
ケース８は、概して基板３及びベース５に対応する正方形状を有し、その中央には円形状の開口部８ａが形成されている。また、本レンズ駆動装置１の側面の一部を構成する側面部８ｂ及び８ｃを有している。側面部８ｂは、その両端部が装置本体の内側に入り込んだ形状を有し、側面部８ｂの表面に後述するヨーク１２の脚部１２を位置決めする突起８ｄが形成されている。また、その中央部には、上方側に向けて開口した切り欠き部８ｅが形成されている。一方、側面部８ｃは、その中央部に上方側に向けて開口した切り欠き部８ｆが形成されると共に、ベース５の凸部５ｈを収容する収容部８ｇと、後述するカバー９の凸部９ｈを収容する溝部８ｈが形成されている。さらに、ケース８の四隅には、上方側に突出するピン８ｉが立設されている。
【００１３】
レンズケース７は、小径部７ａと大径部７ｂとを有し、これらの内部に形成される空間に複数のレンズを光軸方向に沿って保持する。小径部７ａには、その上面に入光口として機能する開口部７ｃが形成されている。また、小径部７ａの周面の上端部には、保持されるレンズ位置の微調整用の複数の凹部７ｄが形成されている。大径部７ｂの周面の上方側には、ねじ山７ｅが形成されている。ねじ山７ｅは、後述するレンズホルダ６の内周面に形成されたねじ山と係合し、レンズケース７自体の位置調整の際に利用される。
【００１４】
レンズホルダ６は、複数の部品が組み合わせられて構成されている。複数の部品が組み合わされた状態において、その内部に形成される空間に上下に位置調整可能にレンズケース７を保持する。レンズホルダ６は、構成部品である板ばねの端部をケース８に固定し、その中央部分をケース８に対して上下に揺動可能に構成される。レンズホルダ６の上面には、円環形状を有するコイル１０が固定される。例えば、コイル１０は、レンズホルダ６の上面に接着固定される。なお、このレンズホルダ６の詳細な構成については後述する。
【００１５】
カバー９は、ケース８の上面に対応した形状を有し、その中央に円形状の開口部９ａが形成されている。また、ケース８の側面部８ｂに対応する一対の辺９ｂと、側面部８ｃに対応する一対の辺９ｃとを有している。辺９ｂには、下端部で側面部８ｂと係合する一方、上端部で後述するヨーク１２のブラケット１２ａと係合する係合部９ｄが設けられている。係合部９ｄには、ケース８の切り欠き部８ｅと係合する凸部９ｅが形成されると共に、ヨーク１２のブラケット１２ａの側面を保持する保持片９ｆが形成されている。一方、辺９ｃには、ケース８の切り欠き部８ｆと係合する凸部９ｇと、ケース８の溝部８ｈに入り込む凸部９ｈと、ケース８の収容部８ｇに入り込む凸部９ｉが形成されている。さらに、カバー９の四隅には、ケース８のピン８ｉが貫通する穴部９ｊが形成されている。
【００１６】
マグネット１１は、ヨーク１２の内壁面に固定される。マグネット１１は、上記コイル１０よりも大径の円環形状を有する。ヨーク１２に固定された状態において、レンズホルダ６の上面に固定されたコイル１０の周囲を囲繞するように配設される。マグネット１１の内周面は、一定距離だけ離間した状態でコイル１０の外周面と対向している。なお、マグネット１１の光軸方向の長さは、コイル１０の上下移動に対応するために、コイル１０の長さよりも長く構成されている。
【００１７】
ヨーク１２は、磁性体として機能し、図１に示す下方側に開口した形状を為す円環形状を有している。また、その下端部においてブラケット１２ａに固定されている。ブラケット１２ａは、その四隅にて下方側に屈曲されており、この屈曲された部分で脚部１２ｂを構成している。脚部１２ｂは、下方側に開口した切り欠き部１２ｃを有している。切り欠き部１２ｃは、ケース８の突起８ｄを収容する。ブラケット１２ａにおけるカバー９の辺９ｂに対応する端面には、カバー９の保持片９ｆと係合する係合部１２ｄが形成されている。
【００１８】
ここで、本実施の形態に係るレンズ駆動装置１を組み立てた場合の状態について説明する。図２は、本実施の形態に係るレンズ駆動装置１を組み立てた場合の斜視図である。また、図３は、本実施の形態に係るレンズ駆動装置１を組み立てた場合の断面図である。なお、図３においては、レンズケース７に保持されるレンズについては省略している。
【００１９】
レンズ駆動装置１を組み立てた状態においては、図２及び図３に示すように、ベース５の上方にケース８が重ねられる。このとき、図２に示すように、ケース８の側面部８ｂの下面がベース５の収容部５ｅに収容されると共に、ベース５の凸部５ｈがケース８の収容部８ｇに収容される。これにより、ベース５上におけるケース８の位置決めが行われる。
【００２０】
また、図２及び図３に示すように、ケース８の上方にカバー９が重ねられる。このとき、図２に示すように、カバー９の凸部９ｅがケース８の切り欠き部８ｅに収容されると共に、凸部９ｇ、凸部９ｈ及び凸部９ｉがそれぞれ切り欠き部８ｆ、溝部８ｈ及び収容部８ｇに収容される。これにより、ケース８上におけるカバー９の位置決めが行われる。
【００２１】
さらに、図２及び図３に示すように、カバー９の上方にヨーク１２が重ねられる。このとき、図２に示すように、ヨーク１２のブラケット１２ａの係合部１２ｄがカバー９の保持片９ｆに保持される。ブラケット１２ａの脚部１２ｂは、ベース５の突出片５ｃ及び５ｄと、ケース８の側面部８ｃとで形成される空間に配置される。この場合において、ケース８の側面部８ｂに形成された突起８ｄは、脚部１２ｂに形成された切り欠き部１２ｃ内に収容される。これにより、カバー９上におけるヨーク１２の位置決めが行われる。
【００２２】
ヨーク１２は、図３に示すように、断面略Ｕ字状の形状を有し、その内部においては、その外側の内壁面にマグネット１１が接着固定されている。そして、このマグネット１１の内周面と、ヨーク１２の内側の内壁面との間に、レンズホルダ６に固定されたコイル１０が配置される。コイル１０は、マグネット１１の内周面と、ヨーク１２の内側の内壁面とから一定距離だけ離間した位置に配置されている。
【００２３】
なお、これらのコイル１０、マグネット１１及びヨーク１２により、レンズホルダ６及びレンズケース７を移動させるレンズ駆動部が構成される。本実施の形態において、レンズ駆動部は、所謂ボイスコイルモータで構成される。特に、本実施の形態においては、コイル１０への通電によりマグネット１１に沿ってコイル１０を移動させるムービングコイル形式のボイスコイルモータを適用した場合について示している。
【００２４】
また、図３に示すように、ヨーク１２の内側には、レンズケース７が配設されている。そして、レンズケース７に保持される複数のレンズに対応する下方位置にＩＲカットフィルタ４が配置されると共に、このＩＲカットフィルタ４の下方位置にイメージセンサ２の撮像領域２ａが配置されている。
【００２５】
以下、本実施の形態に係るレンズ駆動装置１の特徴を有する構成部品について説明する。本実施の形態に係るレンズ駆動装置１においては、基板３、ベース５、レンズホルダ６及びケース８の構成に特徴を有するため、以下においてはこれらの構成について説明するものとする。
【００２６】
まず、本実施の形態に係るレンズ駆動装置１が有する基板３の構成について説明する。図４は、本実施の形態に係るレンズ駆動装置１が有する基板３の上面図である。図４に示すように、基板３は、同図に示す左方側の１辺に複数（ここでは６個）の外部接続部材３ａが設けられている。そして、この外部接続部材３ａが設けられた１辺以外の３辺には、外縁部近傍にイメージセンサ２を電気的に接続するための複数の端子３ｃが設けられている。
【００２７】
１対の接点部３ｂは、上述のように、外部接続部材３ａの近傍に設けられている。特に、接点部３ｂは、それぞれ外部接続部材３ａと外部接続部材３ａとの間に配置されるように設けられている。このように外部接続部材３ａと外部接続部材３ａとの間に配置するように設けたのは、基板３上におけるイメージセンサ２を配置するスペースを確保するためである。また、詳細について後述するように、イメージセンサ２への埃等の侵入を防止するためにベース５の裏面側に形成される壁部を可能な限りベース５の外部側に形成するためである。
【００２８】
次に、本実施の形態に係るレンズ駆動装置１が有するベース５の構成について説明する。図５は、本実施の形態に係るレンズ駆動装置１が有する基板３とベース５との関係について説明するための斜視図である。図６は、本実施の形態に係るレンズ駆動装置１が有するベース５の下面図である。なお、図５においては、基板３及びベース５のみを抜粋し、下方側から見た分解斜視図である。
【００２９】
図５及び図６に示すように、ベース５の裏面には、基板３に固定されたイメージセンサ２を収納する収納部として機能する空間５ｉが形成されている。空間５ｉ内には、イメージセンサ２を軽く付勢する複数の付勢片５ｊが設けられている。また、空間５ｉの周囲には、外縁部５ｋが設けられている。外縁部５ｋは、貫通孔５ｆに対応する位置においてベース５の内側に入り込んだ凹部５ｌを有している。この凹部５ｌの内壁は、貫通孔５ｆを介してイメージセンサ２に塵埃等が侵入するのを防止する壁部としての役割を果たす。
【００３０】
このような構成を有する基板３とベース５とを組み立てた場合、スプリング５ｇは、図７に示すようにベース５に形成された貫通孔５ｆに配設される。この場合において、スプリング５ｇの下端部は、基板３に形成された接点部３ｂに接触している。一方、スプリング５ｇの上端部は、ベース５の上面部よりも僅かに上方側に突出している。
【００３１】
本実施の形態に係るレンズ駆動装置１においては、このように組み立てられたベース５の上方からケース８に固定されたレンズホルダ６が重ねられる。この場合、ベース５の貫通孔５ｆから僅かに突出するスプリング５ｇの上端部には、レンズホルダ６が有する板ばねの端部が接触する。図８は、レンズホルダ６が有する板ばねの端部がスプリング５ｇの上端部に接触する状態について説明するための斜視図である。なお、図８においては、説明の便宜上、レンズホルダ６が固定されるケース８を省略している。図８に示すように、レンズホルダ６は２枚の板ばねを有し、それぞれ異なる板ばねの端部（同図に示すＡ及びＢ）がそれぞれ異なるスプリング５ｇの上端部に接触している。
【００３２】
次に、本実施の形態に係るレンズ駆動装置１が有するレンズホルダ６の構成について説明する。図９は、本実施の形態に係るレンズ駆動装置１が有するレンズホルダ６の分解斜視図であり、図１０は、本実施の形態に係るレンズ駆動装置１が有するレンズホルダ６を組み立てた場合の斜視図である。図１１は、本実施の形態に係るレンズ駆動装置１が有するレンズホルダ６を組み立てた場合の上面図である。なお、図９においては、説明の便宜上、レンズホルダ６に固定されるコイル１０を表示している。
【００３３】
図９及び図１０に示すように、レンズホルダ６は、上面部６１と、第１の板ばね６２と、スペーサ６３と、第２の板ばね６４と、下面部６５とが組み合わされて構成される。各構成部品の中央部分には開口部が形成されており、図１０に示すように、各構成部品が組み合わされた状態において、レンズホルダ６の内部には、レンズケース７を収容する空間が形成される。このようなレンズホルダ６により保持された状態で、レンズケース７の小径部７ａは、上面部６１の開口部から図１０に示す上方側に突出した状態となる。
【００３４】
図９に示すように、上面部６１は、その内壁面でレンズケース７の大径部７ｂの上面近傍を覆うカバー部６１ａと、カバー部６１ａの下端部から装置側方に突出形成された鍔部６１ｂとを有する。カバー部６１ａの上面は、レンズホルダ６自体の上面として機能し、上述したコイル１０が接着固定される。カバー部６１ａの所定位置には、１対の切り欠き部６１ｃが形成されている。また、カバー部６１ａの内壁には、レンズケース７に形成されたねじ山７ｅと係合するねじ山６１ｄが形成されている。鍔部６１ｂの所定位置には、装置側方に突出形成された１対の突出部６１ｅが形成されている。突出部６１ｅには、後述するスペーサ６３のピン６３ｃが挿入される穴部６１ｆが形成されている。また、鍔部６１ｂにおける外周面の所定位置には、後述するスペーサ６３の突起部６３ｄが入り込む複数の切り欠き部６１ｇが形成されている。さらに、鍔部６１ｂにおける下面の内周側の所定位置には、後述するスペーサ６３の切り欠き部６３ｆに入り込む突起部６１ｈが形成されている。
【００３５】
第１の板ばね６２は、例えば、リン青銅等の導電性材料で構成される。第１の板ばね６２は、中央に開口部を有する円環状部６２ａと、この円環状部６２ａの所定位置から延在する複数の腕部６２ｂと、各腕部６２ｂの端部に設けられた固定部６２ｃとを有する。特定の固定部６２ｃには、ベース５の貫通孔５ｆに収容されたスプリング５ｇと接触する接点部６２ｄが連結されている。接点部６２ｄは、固定部６２ｃから延在する部分を下方側に略垂直に折り曲げ、更にその先端を装置内側に略垂直に折り曲げることで形成される。接点部６２ｄには、後述するケース８のピン８ｌが入り込む穴部６２ｅが形成されている。円環状部６２ａの外周側において、上面部６１の切り欠き部６１ｇに対応する位置には、切り欠き部６２ｆが形成されている。一方、円環状部６２ａの内周側において、上面部６１の突起部６１ｈに対応する位置には、切り欠き部６２ｇが形成されている。さらに、円環状部６２ａの外周側の所定位置には、コイル１０の端部（図１０に示す１０ａ）を挟持する挟持部６２ｈが形成されている。
【００３６】
スペーサ６３は、中央に開口部を有する円環状部６３ａを有する。この円環状部６３ａにより第１の板ばね６２と第２の板ばね６４とを所定の間隔、すなわち円環状部６３ａの肉厚寸法に相当する間隔を離間してレンズホルダ６内に配置させるようになっている。円環状部６３ａの上面側の所定位置には、装置側方に突出形成された１対の突出部６３ｂが形成されている。突出部６３ｂには、上面部６１の穴部６１ｆに入り込むピン６３ｃが設けられている。円環状部６３ａの外周側の所定位置には、上面部６１の切り欠き部６１ｇに入り込む突起部６３ｄが形成されている。また、円環状部６３ａの下面の外周側の所定位置には、後述する下面部６５の突起部６５ｄが入り込む複数の切り欠き部６３ｅが形成されている。一方、円環状部６３ａの内周側の所定位置には、上面部６１の突起部６１ｈに入り込む複数の切り欠き部６３ｆが形成されている。さらに、円環状部６３ａの下面側の所定位置には、装置側方に突出形成された１対の突出部６３ｇが形成されている。突出部６３ｇには、後述する下面部６５の穴部６５ｃに入り込むピン６３ｈが設けられている。
【００３７】
第２の板ばね６４は、第１の板ばね６２と同様に、例えば、リン青銅等の導電性材料で構成される。第２の板ばね６４は、中央に開口部を有する円環状部６４ａと、この円環状部６４ａの所定位置から延在する複数の腕部６４ｂと、各腕部６４ｂの端部に設けられた固定部６４ｃとを有する。特定の固定部６４ｃには、ベース５の貫通孔５ｆに収容されたスプリング５ｇと接触する接点部６４ｄが連結されている。接点部６４ｄは、固定部６４ｃから延在する部分を下方側に略垂直に折り曲げ、更にその先端を装置内側に略垂直に折り曲げることで形成される。接点部６４ｄには、後述するケース８のピン８ｌが入り込む穴部６４ｅが形成されている。円環状部６４ａの外周側において、後述する下面部６５の突起部６５ｄに対応する位置には、切り欠き部６４ｆが形成されている。一方、円環状部６４ａの内周側において、後述する下面部６５の突起部６５ｅに対応する位置には、切り欠き部６４ｇが形成されている。さらに、円環状部６４ａの外周側の所定位置には、コイル１０の端部（図１０に示す１０ｂ）を挟持する挟持部６４ｈが形成されている。
【００３８】
下面部６５は、中央に開口部を有する円環状部６５ａを有する。円環状部６３ａの所定位置には、装置側方に突出形成された１対の突出部６５ｂが形成されている。突出部６５ｂには、スペーサ６３のピン６３ｈが挿入される穴部６５ｃが形成されている。円環状部６５ａにおける上面の外周側の所定位置には、スペーサ６３の切り欠き部６３ｅに入り込む突起部６５ｄが形成されている。また、円環状部６５ａにおける上面の内周側の所定位置には、スペーサ６３の切り欠き部６３ｆに入り込む突起部６５ｅが形成されている。
【００３９】
レンズホルダ６は、図１０に示すように、第１の板ばね６２を挟んだ状態でスペーサ６３に形成されたピン６３ｃを上面部６１の穴部６１ｆに挿入する一方、第２の板ばね６４を挟んだ状態でスペーサ６３に形成されたピン６３ｈを下面部６５の穴部６５ｃに挿入する。そして、例えば、スペーサ６３に形成された突起部６３ｄ等と、上面部６１に形成された切り欠き部６１ｇ等とを接着固定する一方、下面部６５に形成された突起部６５ｄ等と、スペーサ６３に形成された切り欠き部６３ｅ等とを接着固定することにより、これらの構成部品が一体化するように構成される。この場合において、図１１に示すように、ケース８に対する第１の板ばね６２の固定部６２ｃが、第２の板ばね６４の固定部６４ｃと異なる位置に配置されるので、第１の板ばね６２及び第２の板ばね６４を一方向から組み込んでいくことができる。
【００４０】
なお、ここでは、突起部と切り欠き部との接着固定によりレンズホルダ６を一体化する場合について示しているが、レンズホルダ６を一体化する構造については、これに限定されるものではなく、適宜変更が可能である。レンズホルダ６の一体化を実現できれば、いかなる手法を採用しても良い。例えば、上面部６１、第１の板ばね６２及びスペーサ６３から成る部品をインモールド成形により形成する一方、第２の板ばね６４及び下面部６５から成る部品をインモールド成形により形成し、これらを接着固定するようにしても良い。或いは、上面部６１から下面部６５までの全ての部品をインモールド成形により形成するようにしても良い。
【００４１】
このように組み立てられた場合、レンズホルダ６が有する第１の板ばね６２と、第２の板ばね６４とは、図１０に示すように、レンズホルダ６における異なる高さの位置に配置される。また、第１の板ばね６２の固定部６２ｃと、第２の板ばね６４の固定部６４ｃとは、図１１に示すように、レンズホルダ６における周方向の異なる位置で上方から見て重ならないように配置される。固定部６２ｃと固定部６４ｃとは、レンズホルダ６の四隅でそれぞれ近接して配置されている。固定部６２ｃ及び固定部６４ｃには、図１１に示すように、それぞれケース８に立設されたピン８ｉを受け入れる切り欠き部６２ｉ、切り欠き部６４ｉが形成されている。これらの切り欠き部６２ｉ、切り欠き部６４ｉは、上方から見た場合、円形状を有している。
【００４２】
次に、本実施の形態に係るレンズ駆動装置１が有するケース８の構成について説明する。図１２は、本実施の形態に係るレンズ駆動装置１が有するケース８の斜視図である。なお、図１２において、図１と同様の構成については、同一の符号を付し、その説明を省略する。
【００４３】
図１２に示すように、ケース８の上面には、四隅にピン８ｉが立設されている。これらのピン８ｉの近傍は、レンズホルダ６が有する第１の板ばね６２の固定部６２ｃ、並びに、第２の板ばね６４の固定部６４ｃの位置に応じた段差を有する形状に設けられている。この段差の寸法は、スペーサ６３の円環状部６３ａの肉厚寸法に相当する寸法となっている。具体的には、第２の板ばね６４の固定部６４ｃの位置に応じた第１固定部８ｊと、第１固定部８ｊよりも高い位置に配置され、第１の板ばね６２の固定部６２ｃの位置に応じた第２固定部８ｋとが設けられている。
【００４４】
ここで、ケース８と、第１の板ばね６２の固定部６２ｃ及び第２の板ばね６４の固定部６４ｃとの関係について説明する。図１３は、ケース８と第２の板ばね６４の固定部６４ｃとの関係について説明するための斜視図であり、図１４は、ケース８と第１の板ばね６２の固定部６２ｃとの関係について説明するための斜視図である。
【００４５】
図１３に示すように、第２の板ばね６４が有するそれぞれの固定部６４ｃは、第１固定部８ｊに固定される。この場合において、固定部６４ｃは、切り欠き部６４ｉがピン８ｉを収容した状態で固定される。このように切り欠き６４ｉにピン８ｉを収容した状態で固定することで、第２の板ばね６４がケース８からずれるのを防止している。なお、この場合において、第２の板ばね６４の円環形状部６４ａは、ケース８の開口部８ａの内側に配置されている。
【００４６】
一方、図１４に示すように、第１の板ばね６２が有するそれぞれの固定部６２ｃは、第２固定部８ｋに固定される。この場合において、固定部６２ｃは、切り欠き部６２ｉがピン８ｉを収容した状態で固定される。このように切り欠き６２ｉにピン８ｉを収容した状態で固定することで、第１の板ばね６２がケース８からずれるのを防止している。なお、この場合において、第１の板ばね６２の円環形状部６２ａは、ケース８の開口部８ａの内側に配置されている。
【００４７】
図１５は、本実施の形態に係るレンズ駆動装置１が有するレンズホルダ６とケース８との関係について説明するための斜視図である。上述したように、レンズホルダ６は、第１の板ばね６２及び第２の板ばね６４を上面部６１、スペーサ６３及び下面部６５で挟んで一体化されており、これらの第１の板ばね６２及び第２の板ばね６４のみでケース８に対して固定されている。このため、レンズホルダ６は、第１の板ばね６２及び第２の板ばね６４が許容する一定の範囲で図１５に示す上下方向に揺動可能に構成されている。第１の板ばね６２と第２の板ばね６４はスペーサ６３により離間された間隔を保ったままケース８に取り付けられている。このため、レンズホルダ６がケース８に対して上下方向に揺動したとき、第１の板ばね６２と第２の板ばね６４は電気的に短絡することがないようになっている。
【００４８】
なお、このようにケース８に固定された場合において、レンズホルダ６が有する第１の板ばね６２及び第２の板ばね６４の接点部６２ｄ及び接点部６４ｄは、ケース８に形成された収容部８ｇを介してケース８の裏面側に回りこんでいる。図１６は、図１５に示すレンズホルダ６及びケース８を下面側から見た場合の斜視図である。図１６に示すように、ケース８の裏面において、接点部６２ｄ及び接点部６４ｄは、開口部８ａに沿って側面部８ｂ側に延在している。接点部６２ｄ及び接点部６４ｄにそれぞれ形成された穴部６２ｅ及び穴部６４ｅには、ケース８の下面に形成されたピン８ｌが係合している。これにより、接点部６２ｄ及び接点部６４ｄがケース８の所定位置からずれるのを防止している。このようにケース８の裏面側に回りこんだ接点部６２ｄ及び接点部６４ｄが、ベース５の貫通孔５ｆに収容されたスプリング５ｇの上端部と接触することとなる（図８参照）。
【００４９】
本実施の形態に係るレンズ駆動装置１においては、レンズケース７を上下移動させることで、これに保持されるレンズを駆動するものである。以下、本実施の形態に係るレンズ駆動装置１において、レンズケース７を上下移動させる場合の制御について説明する。
【００５０】
本実施の形態に係るレンズ駆動装置１において、レンズケース７を上下移動させる場合には、例えば、本レンズ駆動装置１を搭載する携帯電話やデジタルカメラの制御部からの駆動指示に応じてコイル１０に電流が流される。このとき、本レンズ駆動装置１においては、第１の板ばね６２及び第２の板ばね６４をその通電手段として利用する。具体的には、基板３の接点部３ｂから、ベース５に埋め込まれたスプリング５ｇ、第１の板ばね６２における接点部６２ｄ、固定部６２ｃ、腕部６２ｂ、円環状部６２ａ及び挟持部６２ｈを介して電流がコイル１０に送り込まれる。そして、コイル１０を流れた電流は、第２の板ばね６４における挟持部６４ｈ、円環状部６４ａ、腕部６４ｂ、固定部６４ｃ、接点部６４ｄ及びベース５に埋め込まれたスプリング５ｇを介して基板３に送り出される。
【００５１】
このようにコイル１０に電流を流すと、コイル１０に流れる電流がマグネット１１から発生する磁界と作用することにより、コイル１０を上下方向に移動させる推力が発生する。本実施の形態に係るレンズ駆動装置１においては、コイル１０に流す電流量を制御することによってこの推力を制御し、コイル１０を上下移動させ、その位置決めを行う。これにより、コイル１０が固定されるレンズホルダ６の位置決めを行うと共に、レンズホルダ６に取り付けられたレンズケース７内のレンズの位置決めを行うことが可能となる。
【００５２】
このように本実施の形態に係るレンズ駆動装置１によれば、ケース８に対する第１の板ばね６２の固定部６２ｃを、第２の板ばね６４の固定部６４ｃと異なる位置に配置すると共に、ケース８における第１固定部８ｊ及び第２固定部８ｉに段差を設けたことから、第１の板ばね６２及び第２の板ばね６４を一方向から組み込んでいくことができるので、装置本体を組み立てる際の作業性の向上することが可能となる。
【００５３】
また、本実施の形態に係るレンズ駆動装置１においては、第１の部材として機能するケース８と、第２の部材として機能するカバー９との間に、第１の板ばね６２の固定部６２ｃ及び第２の板ばね６４の固定部６４ｃを挟んで状態で固定するようにしたので、第１の板ばね６２と第２の板ばね６４との間隔を確実に維持した状態で配置することが可能となる。このため、第１の板ばね６２と第２の板ばね６４とをコイル１０への通電手段として利用したとき、第１の板ばね６２と第２の板ばね６４とが短絡することなく、確実に通電手段として利用できるものとなっている。
【００５４】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００５５】
例えば、上記実施の形態においては、レンズホルダ６が２枚の板ばね（第１の板ばね６２及び第２の板ばね６４）を有する場合について示しているが、必ずしもレンズホルダ６がこれらを有する必要はない。上記実施の形態と同様に、２枚の板ばねが異なる高さの位置に配置されることを前提として、レンズホルダ６と２枚の板ばねとを別部品としても良い。また、板ばねの枚数は、２枚に限定されるものではなく、３枚以上に設定しても良い。
【図面の簡単な説明】
【００５６】
【図１】本発明の一実施の形態に係るレンズ駆動装置の分解斜視図である。
【図２】上記実施の形態に係るレンズ駆動装置を組み立てた場合の斜視図である。
【図３】上記実施の形態に係るレンズ駆動装置を組み立てた場合の断面図である。
【図４】上記実施の形態に係るレンズ駆動装置が有する基板の上面図である。
【図５】上記実施の形態に係るレンズ駆動装置が有する基板とベースとの関係について説明するための斜視図である。
【図６】上記実施の形態に係るレンズ駆動装置が有するベースの下面図である。
【図７】上記実施の形態に係るレンズ駆動装置が有する基板とベースとを重ねた状態の斜視図である。
【図８】上記実施の形態に係るレンズ駆動装置が有するレンズホルダが有する板ばねがスプリングに接触する状態について説明するための斜視図である。
【図９】上記実施の形態に係るレンズ駆動装置が有するレンズホルダの分解斜視図である。
【図１０】上記実施の形態に係るレンズ駆動装置が有するレンズホルダを組み立てた場合の斜視図である。
【図１１】上記実施の形態に係るレンズ駆動装置が有するレンズホルダを組み立てた場合の上面図である。
【図１２】上記実施の形態に係るレンズ駆動装置が有するケースの斜視図である。
【図１３】上記実施の形態に係るレンズ駆動装置が有するケースと第２の板ばねの固定部との関係について説明するための斜視図である。
【図１４】上記実施の形態に係るレンズ駆動装置が有するケースと第１の板ばねの固定部との関係について説明するための斜視図である。
【図１５】上記実施の形態に係るレンズ駆動装置が有するレンズホルダとケースとの関係について説明するための斜視図である。
【図１６】図１５に示すレンズホルダ及びケースを下面側から見た場合の斜視図である。
【符号の説明】
【００５７】
１  レンズ駆動装置
２  イメージセンサ
３  基板
３ｂ  接点部
４  ＩＲカットフィルタ
５  ベース部材（ベース）
６  レンズホルダ
６１  上面部
６２  第１の板ばね
６２ｄ  接点部
６３  スペーサ
６４  第２の板ばね
６４ｄ  接点部
６５  下面部
７  レンズケース
８  ケース
９  カバー
１０  コイル
１１  マグネット
１２  ヨーク
【図１】
2008197311.tif 000003
【図２】
2008197311.tif 000004
【図３】
2008197311.tif 000005
【図４】
2008197311.tif 000006
【図５】
2008197311.tif 000007
【図６】
2008197311.tif 000008
【図７】
2008197311.tif 000009
【図８】
2008197311.tif 000010
【図９】
2008197311.tif 000011
【図１０】
2008197311.tif 000012
【図１１】
2008197311.tif 000013
【図１２】
2008197311.tif 000014
【図１３】
2008197311.tif 000015
【図１４】
2008197311.tif 000016
【図１５】
2008197311.tif 000017
【図１６】
2008197311.tif 000018